(57)【要約】【課題】多くの種類の医薬品や器具の取扱い、複雑な構造設備を必要とする薬局店舗を効率的に開設することが出来、かつ開店後のすぐに満足のいく標準化された店舗オペレーションができる薬局店舗を開設するための手段を提供することが本発明の課題である。【解決手段】正面壁面ユニット１０１は調剤室の表示１０２が施され、透視ガラス面１０３が備えられている。１０４は引き戸の出入り口ドアである。１０５は調剤室の床面ユニットであり、建物の基礎床面に設置される。正面と両側の壁面ユニット１０１、１０６、１０７（必要であれば後背面に壁ユニット）そして床面ユニット１０５を組み付けることによって、調剤室空間を構成している。ここでは隔壁面ユニットはそれぞれ単体に限られるものではなく、所定のモジュールに沿った複数のユニットの集合であっても良い。【選択図】図１
2007146595.tif 000002
【特許請求の範囲】
【請求項１】
建物内に薬局店舗を開設するために、前記建物内に組み込む調剤室であって、複数種類のユニットから構成されることを特徴とするユニット調剤室。
【請求項２】
前記ユニットの少なくとも１つは、予め収納する日常業務備品を設定し、該備品の収納区画の配置を標準化した常備品収納ユニットであることを特徴とする請求項１記載のユニット調剤室。
【請求項３】
前記収納区画の形状は、前記収納が設定された備品の形状に合わせて設計されていることを特徴とする請求項２記載のユニット調剤室。
【請求項４】
前記日常業務備品は、薬瓶、軟膏壷、水剤容器、キャップ、スポイト、薬袋、薬包紙、鑑査判、処方箋、調剤録、ＱＲコードリーダー、はさみ、筆記類から選ばれる少なくとも１つであることを特徴とする請求項２もしくは３記載のユニット調剤室。
【請求項５】
前記ユニットの少なくとも１つは、予め収納する医薬品の種類を設定し、該医薬品の収納区画の配置を標準化した薬棚ユニットであることを特徴とする請求項１乃至４記載のユニット調剤室。
【請求項６】
前記ユニットの少なくとも１つは、予め収納する調剤器具及び試験検査用器具を設定し、該器具の収納区画の配置を標準化した器具棚ユニットであることを特徴とする請求項１乃至５記載のユニット調剤室。
【請求項７】
前記収納区画の形状は、前記収納が設定された器具の形状に合わせて設計されていることを特徴とする請求項６記載のユニット調剤室。
【請求項８】
前記調剤器具は、薬瓶、軟膏壷、水剤容器、キャップ、スポイト、液量器、温度計、軟膏板、乳鉢、乳棒、はかり、ビーカー、ふるい器、へら、メスピペット、ピペット台、メスフラスコ、メスシリンダー、フラスコ台、薬匙、ロート、ロート台であることを特徴とする請求項６もしくは７記載のユニット調剤室。
【請求項９】
前記試験検査器具は、少なくとも顕微鏡、ルーペ又は粉末Ｘ線解析装置、デシケーター、比重計又は振動式密度計、ブンゼンバーナー又はアルコールランプ、融点測定器を含むことを特徴とする請求項６もしくは７記載のユニット調剤室。
【請求項１０】
前記ユニットの少なくとも１つは、予め収納する書籍を設定し、該書籍の収納区画の配置を標準化した書棚ユニットであることを特徴とする請求項１乃至９記載のユニット調剤室。
【請求項１１】
前記収納区画の形状は、前記収納が設定された書籍のサイズに合わせて設計されていることを特徴とする請求項１０記載のユニット調剤室。
【請求項１２】
前記ユニットの少なくとも１つは、冷蔵庫、麻薬保管庫、毒薬保管庫、毒物保管庫、劇物保管庫、覚せい剤原料保管庫から選ばれる複数の貯蔵設備が上下もしくは左右に連接して設けてある貯蔵庫ユニットであることを特徴とする請求項１乃至１１記載のユニット調剤室。
【請求項１３】
前記ユニットの少なくとも１つは、縦１．０ｍ以上、横１．３ｍ以上の透明ガラス面を備えている壁ユニットであることを特徴とする請求項１乃至１２記載のユニット調剤室。
【請求項１４】
前記ユニットの少なくとも１つは、薬棚、器具棚、書棚から選ばれる少なくとも１つの収納手段を設けている壁ユニットであることを特徴とする請求項１乃至１３記載のユニット調剤室。
【請求項１５】
前記収納手段は、予め収納する収納物を設定し、該収納物の収納区画の配置を標準化されていることを特徴とする請求項１４記載のユニット調剤室。
【請求項１６】
前記収納手段は、前記収納物の形状に合わせて設計されていることを特徴とする請求項１５記載のユニット調剤室。
【請求項１７】
前記ユニットの少なくとも１つは、夜間受付窓口を設けた壁ユニットであることを特徴とする請求項１乃至１６記載のユニット調剤室。
【請求項１８】
前記ユニットの少なくとも１つは、給排水設備を備えた床ユニットであることを特徴とする請求項１乃至１７記載のユニット調剤室。
【請求項１９】
前記ユニットの少なくとも１つは、電気供給もしくは通信のための配線設備を備えた床ユニットであることを特徴とする請求項１乃至１８記載のユニット調剤室。
【請求項２０】
前記ユニットの少なくとも１つは、医療廃棄物及び一般ゴミを保管するユニットであって、該保管対象毎に分別された保管区画を備えた危険物・廃棄物保管ユニットであることを特徴とする請求項１乃至１９記載のユニット調剤室。
【請求項２１】
前記ユニットの少なくとも１つは、パソコン及びプリンターを備えた作業卓ユニットであることを特徴とする請求項１乃至２０記載のユニット調剤室。
【請求項２２】
前記ユニットの少なくとも１つは、前記壁ユニットの上部を渡して設けられるレールユニットであり、該レールユニットには電力供給もしくは通信の配線が設けられていることを特徴とする請求項１乃至２１記載のユニット調剤室。
【請求項２３】
前記レールユニットには照明手段が設置されることを特徴とする請求項２２記載のユニット調剤室。
【請求項２４】
前記照明手段は、前記調剤台もしくは前記試験検査台の上を照らすように設置されることを特徴とする請求項２３記載のユニット調剤室。
【請求項２５】
前記レールユニットには、撮影手段が設置されていることを特徴とする請求項２２乃至２４記載のユニット調剤室。
【請求項２６】
前記撮影手段は、予め薬局店舗内に設定された撮影エリアを撮影するように設置されることを特徴とする請求項２５記載のユニット調剤室。
【請求項２７】
前記撮影手段は、前記撮影エリア内に設けられたセンサーによる撮影対象の検出によって制御されることを特徴とする請求項２６記載のユニット調剤室。
【請求項２８】
前記ユニット調剤室は、前記センサーが設けられた調剤台ユニット、試験検査台ユニット、一般作業台ユニット、監査台ユニットを構成要素として含むことを特徴とする請求項２７記載のユニット調剤室。
【請求項２９】
前記撮影手段が撮影した画像は、通信を介して画像監視システムに送信され、管理されることを特徴とする請求項２５乃至２８記載のユニット調剤室。
【請求項３０】
分包機ユニット、流し台ユニット、前記調剤台ユニット、前記試験検査台ユニット、前記一般作業台ユニット、前記監査台ユニット、前記レールユニット、前記作業卓ユニット、前記危険物・廃棄物保管ユニット、前記床ユニット、前記壁ユニット、前記貯蔵庫ユニット、前記書棚ユニット、前記備品収納ユニット、前記器具棚ユニット、前記薬棚ユニット、前記常備品収納ユニットから選ばれる複数のユニット組み付けて構成することを特徴とする請求項１乃至２９記載のユニット調剤室。
【発明の詳細な説明】
【技術分野】
【０００１】
本発明は，建物内に小型薬局店舗の開設に必要な構造設備および器具に関し、特に開店後のすぐに満足のいく標準化された店舗オペレーションができる店舗を効率的に開設するために提供されるユニット調剤室に関するものである。  
【背景技術】
【０００２】
近年、小規模店舗の開設には、低コスト化、工期の短縮、資材再利用の容易化等を目的としてユニット工法が導入されている。これは店舗を開設するための構造設備をユニット化して工場生産し、現地ではこれらを組み立てるようにしたものである。
【０００３】
これら構造設備ユニットを可能な限り共通化、例えば、壁材ユニット等を大きさや形状を統一化させ、組立の際の連結工事や解体の際の離脱工事を共通化、標準化、単純化させることで、店舗の組立、解体の容易化を図っている。
【０００４】
特許文献１では、飲食業界の店舗開設のためにユニットを用いる発明が開示されているが、構造設備を複数のユニットで構成し、組み立てた構成体を組み付けることにより低コスト化や省力化の努力が払われているが、店舗が完成した後、各種の商材、商材を取り扱う器具を搬入、収納することに対してはあまり考慮されていない。これらの商材、器具の搬入、収納については店舗の構造設備の工場生産化に比べて合理化が立ち遅れている。
【０００５】
また、薬局店舗は通常の店舗に比べ、扱う商材としての薬の種類が多く、またその取扱いのための器具も種類が多いため、ここで開示された手段だけでは本発明の目的とするところの標準化されたオペレーションも含めて効率のよい薬局店舗開設を実現することは出来ない。
【特許文献１】特開平１１−３２４３６６
【発明の開示】
【発明が解決しようとする課題】
【０００６】
多くの種類の医薬品や器具の取扱い、複雑な構造設備を必要とする薬局店舗を効率的に開設することが出来、かつ開店後のすぐに満足のいく標準化された店舗オペレーションができる薬局店舗を開設するための手段を提供することが本発明の課題である。
【課題を解決するための手段】
【０００７】
請求項１記載の発明は、建物内に薬局店舗を開設するために、前記建物内に組み込む調剤室であって、複数種類のユニットから構成されることを特徴とするユニット調剤室である。
【０００８】
請求項２記載の発明においては、請求項１の発明における前記ユニットの少なくとも１つは、予め収納する日常業務備品を設定し、該備品の収納区画の配置を標準化した常備品収納ユニットである。
【０００９】
請求項３記載の発明においては、請求項２記載の発明における収納区画の形状は、前記収納が設定された備品の形状に合わせて設計されていることを特徴とする。
【００１０】
請求項４記載の発明においては、請求項２もしくは３記載の発明における前記日常業務備品は、薬袋、薬包紙、鑑査判、処方箋、調剤録、ＱＲコードリーダー、はさみ、筆記類から選ばれる少なくとも１つであることを特徴とする。
【００１１】
請求項５記載の発明においては、請求項１乃至請求項４記載の発明における前記ユニットの少なくとも１つは、予め収納する医薬品の種類を設定し、該医薬品の収納区画の配置を標準化した薬棚ユニットであることを特徴とする。
【００１２】
請求項６記載の発明においては、請求項１乃至請求項５記載の発明における前記ユニットの少なくとも１つは、予め収納する調剤器具及び試験検査用器具を設定し、該器具の収納区画の配置を標準化した器具棚ユニットであることを特徴とする。
【００１３】
請求項７記載の発明においては、請求項６記載の発明における前記収納区画の形状は、前記収納が設定された器具の形状に合わせて設計されていることを特徴とする。
【００１４】
請求項８記載の発明においては、請求項６もしくは７記載の発明における前記調剤器具は、薬瓶、軟膏壷、水剤容器、キャップ、スポイト、液量器、温度計、軟膏板、乳鉢、乳棒、はかり、ビーカー、ふるい器、へら、メスピペット、ピペット台、メスフラスコ、メスシリンダー、フラスコ台、薬匙、ロート、ロート台であることを特徴とする。
【００１５】
請求項９記載の発明においては、請求項６もしくは７記載の発明における前記試験検査器具は、少なくとも顕微鏡、ルーペ又は粉末Ｘ線解析装置、デシケーター、比重計又は振動式密度計、ブンゼンバーナー又はアルコールランプ、融点測定器を含むことを特徴とする。
【００１６】
請求項１０記載の発明においては、請求項１乃至請求項９記載の発明における前記ユニットの少なくとも１つは、予め収納する書籍を設定し、該書籍の収納区画の配置を標準化した書棚ユニットであることを特徴とする。
【００１７】
請求項１１記載の発明においては、請求項１０記載の発明における前記収納区画の形状は、前記収納が設定された書籍のサイズに合わせて設計されていることを特徴とする。
【００１８】
請求項１２記載の発明においては、請求項１乃至請求項１１記載の発明における前記ユニットの少なくとも１つは、冷蔵庫、麻薬保管庫、毒薬保管庫、毒物保管庫、劇物保管庫、覚せい剤原料保管庫から選ばれる複数の貯蔵設備が上下もしくは左右に連接して設けてある貯蔵庫ユニットであることを特徴とする。
【００１９】
請求項１３記載の発明においては、請求項１乃至請求項１２記載の発明における前記ユニットの少なくとも１つは、縦１．０ｍ以上、横１．３ｍ以上の透明ガラス面を備えている壁ユニットであることを特徴とする。
【００２０】
請求項１４記載の発明においては、請求項１乃至請求項１３記載の発明における前記
ユニットの少なくとも１つは、薬棚、器具棚、書棚から選ばれる少なくとも１つの収納手段を設けている壁ユニットであることを特徴とする。
【００２１】
請求項１５記載の発明においては、請求項１４記載の発明における前記収納手段は、予め収納する収納物を設定し、該収納物の収納区画の配置を標準化されていることを特徴とする。
【００２２】
請求項１６記載の発明においては、請求項１５記載の発明における前記収納手段は、前記収納物の形状に合わせて設計されていることを特徴とする。
【００２３】
請求項１７記載の発明においては、請求項１乃至請求項１６記載の発明における前記ユニットの少なくとも１つは、夜間受付窓口を設けた壁ユニットであることを特徴とする。
【００２４】
請求項１８記載の発明においては、請求項１乃至請求項１７記載の発明における前記ユニットの少なくとも１つは、給排水設備を備えた床ユニットであることを特徴とする。
【００２５】
請求項１９記載の発明においては、請求項１乃至請求項１８記載の発明における前記ユニットの少なくとも１つは、電気供給もしくは通信のための配線設備を備えた床ユニットであることを特徴とする。
【００２６】
請求項２０記載の発明においては、請求項１乃至請求項１９記載の発明における前記ユニットの少なくとも１つは、医療廃棄物及び一般ゴミを保管するユニットであって、該保管対象毎に分別された保管区画を備えた危険物・廃棄物保管ユニットであることを特徴とする。
【００２７】
請求項２１記載の発明においては、請求項１乃至請求項２０記載の発明における前記ユニットの少なくとも１つは、パソコン及びプリンターを備えた作業卓ユニットであることを特徴とする。
【００２８】
請求項２２記載の発明においては、請求項１乃至請求項２１記載の発明における前記ユニットの少なくとも１つは、前記壁ユニットの上部を渡して設けられるレールユニットであり、該レールユニットには電力供給もしくは通信の配線が設けられていることを特徴とする。
【００２９】
請求項２３記載の発明においては、請求項２２記載の発明における前記記レールユニットには照明手段が設置されることを特徴とする。
【００３０】
請求項２４記載の発明においては、請求項２３記載の発明における前記照明手段は、前記調剤台もしくは前記試験検査台の上を照らすように設置されることを特徴とする。
【００３１】
請求項２５記載の発明においては、請求項２２乃至請求項２４記載の発明における前記レールユニットには、撮影手段が設置されていることを特徴とする。
【００３２】
請求項２６記載の発明においては、請求項２５記載の発明における前記撮影手段は、予め薬局店舗内に設定された撮影エリアを撮影するように設置されることを特徴とする。
【００３３】
請求項２７記載の発明においては、請求項２６記載の発明における前記撮影手段は、前記撮影エリア内に設けられたセンサーによる撮影対象の検出によって制御されることを特徴とする。
【００３４】
請求項２８記載の発明においては、請求項２７記載の発明における前記調剤室ユニットは、前記センサーが設けられた調剤台ユニット、試験検査台ユニット、一般作業台ユニット、監査台ユニットを構成要素として含むことを特徴とする。
【００３５】
請求項２９記載の発明においては、請求項２５乃至請求項２８記載の発明における前記撮影手段が撮影した画像は、通信を介して画像監視システムに送信され、管理されることを特徴とする。
【００３６】
請求項３０記載の発明においては、分包機ユニットと請求項１乃至請求項２９記載の発明のいずれかで記載された前記調剤台ユニット、前記試験検査台ユニット、前記一般作業台ユニット、前記監査台ユニット、前記レールユニット、前記作業卓ユニット、前記危険物・廃棄物保管ユニット、前記床ユニット、前記壁ユニット、前記貯蔵庫ユニット、前記書棚ユニット、前記器具棚ユニット、前記薬棚ユニット、前記常備品収納ユニットから選ばれる複数のユニット組み付けて構成することを特徴とする。
【発明の効果】
【００３７】
本発明のシステムは、履歴データの中に内在する傾向を取り出し、事故や過誤を含んでいる業務処理に現れる入力データのパターンを判定する基準を設定し、その基準と比較して現在ユーザが直面している業務処理の適切さを評価し、その評価に応じてユーザに対して支援の出力を行い、事故や過誤を防止していくことができる。
【発明を実施するための最良の形態】
【００３８】
この発明は、店舗開設する建物内に組み込むユニット調剤室を薬局店舗のオペレーションを容易にする為の造作を施したユニット群で構成する。そのため、開設のための組み付け作業だけでなく、開設直後からの店舗オペレーションの効率的な運用も実現される
【実施例】
【００３９】
図１は、本発明のユニット調剤室の正面外観図である。正面壁ユニット１０１は調剤室の表示１０２が施され、縦１．０ｍ以上横１．３ｍ以上の透視ガラス面１０３が備えられている。１０４は引き戸の出入り口ドアである。１０５は調剤室の床ユニットであり、建物の基礎床面に設置される。正面と両側の壁ユニット１０１、１０６、１０７、図では隠れている後背面の壁ユニット、そして床面ユニット１０５を組み付けることによって、調剤室空間を構成している。ここで用いられる壁面ユニットはそれぞれ単体に限られるものではなく、所定のモジュールに沿った複数のユニットの集合であっても良い。図２は後背面から見た外観図である。背面の壁ユニット２０１には夜間受付の表示２０２と共に夜間受付窓口２０３が設けられている。ここで透視ガラス面１０３の底面は建物の基礎床面から約０．９ｍの高さに設けられている。
【００４０】
図３はユニット調剤室の内部設備の配置を示した平面図である。３０１〜３１６で示された多くのユニットと建具から構成されている。
【００４１】
３０１は危険物・廃棄物保管ユニットであり、図４に示すように医療廃棄物及び一般ゴミを保管する区画が設けられている。４０１が医療廃棄物保管用設備、そして４０２が一般ゴミ用設備である。
【００４２】
３０２は流し台であり、水剤台用水槽として使われ、投薬瓶などの洗浄を行う。後で説明するようにこの位置の床ユニットには給排水設備が備えられている。
【００４３】
３０３は薬棚ユニットであり、図５はその概略図である。ａ１〜e5という医薬品収納区画を設けてある。収納する医薬品をＡ１〜Ｅ５まで種類を設定し、a1〜e5という専用の収納区画を割り当て、収納の配置し標準化している。
【００４４】
３０４は調剤台ユニットであり、後で説明するカメラ監視システムのためのセンサーとしてＲＦＩＤリーダーを備え、台上に置かれたＲＦＩＤタグを検出することが出来る。
同様に、試験検査台ユニット３０８、監査台ユニット３１１〜３１２、一般作業台ユニット３１３もセンサーを備えている。
【００４５】
３０５は調剤用器具収納ユニットである。図６はその概略図である。ｆ１〜ｆ５とマークされた上段、ｇ１〜ｇ６とマークされた中ぐらい高さでメスピペットやピペット台、ロート、ロート台などに適する中段、ｈ１〜ｈ４とマークされた比較的高さがなく、乳鉢、へら、薬匙、温度計などを寝かせて並べるための下段、メスフラスコやメスシリンダーのようにサイズが大きく、立てて収納する必要のある器具のためのｉ１というように形状、サイズを考慮したスペースを設けてあり、それぞれの器具に専用位置を割り当てマークされている。本発明はここで採用した各収納スペースの配置、サイズに限られるものではなく、予め設定した器具のサイズ、形状に合わせて望ましいレイアウトを決め、標準化すればよい。またここではアルファベットと数字の組み合わせの表示を採用しているが、器具の形状に合わせて凹みを造作しても良い。図７は、調剤用器具収納ユニットの棚板７００の上面にへら、乳棒、乳鉢の収納する凹みを造作し、収納した様子を示している。へら７０１とその専用位置に設けられた凹部７０２、乳棒７０３とその専用位置に設けられた凹部７０４、乳鉢７０５とその専用位置に設けられた凹部７０６である。
【００４６】
ここで収納する対象となる調剤器具は、薬瓶、軟膏壷、水剤容器、キャップ、スポイト、液量器、温度計、軟膏板、乳鉢、乳棒、はかり、ビーカー、ふるい器、へら、メスピペット、ピペット台、メスフラスコ、メスシリンダー、フラスコ台、薬匙、ロート、ロート台である。
【００４７】
３０６は貯蔵設備ユニットである。図８に示すように冷蔵庫８０１の上に、麻薬保管庫８０２と覚せい剤原料保管庫８０３とが左右に組み合わせて組み付けられており、さらにその上に毒薬保管庫８０４が上下に連接して設けてある。本発明の組付け方は、これに限られるものではなく、さらに毒物保管庫、劇物保管庫を加えて組み合わせる保管庫の組み合わせ、組み付け方向を選ぶことが出来る。
【００４８】
３０７は試験検査器具収納ユニットである。調剤用器具収納ユニットと同様に形状、サイズを考慮したスペースを設け、それぞれの器具に専用位置を割り当てマークする方式するが、収納ユニットの棚板に凹部を造作し、専用収納スペースとする方式を採用してもよい。
【００４９】
ここで収納する対象となる試験検査器具は、顕微鏡、ルーペ又は粉末Ｘ線解析装置、デシケーター、比重計又は振動式密度計、ブンゼンバーナー又はアルコールランプ、融点測定器である。尚、本発明ではこれらの試験検査器具に加えて、感量１ｍｇの精密はかり、薄層クロマトグラフ装置、ｐｈ計、崩壊度試験器を加えた仕様の試験検査器具収納ユニットを採用しても良い。
【００５０】
３０８は試験検査台ユニットである。調剤台ユニット３０４と同様に、カメラ監視システムのためのセンサーとしてＲＦＩＤリーダーを備え、台上に置かれたＲＦＩＤタグを検出することが出来る。
【００５１】
３０９は分包機である。搬入、組み付けの効率化のため、ユニット化してもよい。３１０，３１１は監査台ユニットであり、調剤台ユニット３０４と同様に、カメラ監視システムのためのセンサーとしてＲＦＩＤリーダーを備え、台上に置かれたＲＦＩＤタグを検出することが出来る。
【００５２】
３１３は常備品ユニットである。日常業務で使用される消耗品や道具・器具類を標準化したユニットに収めている。図９はその一つの仕様を示した概略図である。１段目９０１にはプリンター用紙が収められている。２段目は薬包紙９０２、薬袋９０３が収められている。３段目は監査判９０４，調剤録９０５が収められている。上面にはＱＲコードリーダー９０６、はさみ９０７、筆記具類９０８、搬器収納された処方箋９０９といった構成である。図１０は上段の頻繁に使う道具、器具類を配置した様子を示している。指定位置１００１に置かれたＱＲコードリーダー、ユニット上面に固定されたはさみ置き１００２に収まったはさみ、ユニット上面に固定されたケース１００３に収められた筆記具類、搬器１００４に収納された処方箋という具合にいつでも標準の位置に納まるように構成されている。
【００５３】
ここで採用したユニット調剤室は、常備品ユニットを一つしか備えていないが、複数の仕様の異なる常備品ユニットを配備しても良い。
【００５４】
３１４は作業卓ユニットであり、薬局の業務に使うデータを収められたパソコンとプリンターが備えられている。作業卓ユニットを支える床ユニットに装備された配線と接続させて外部と通信することが出来る。
【００５５】
３１５は書棚ユニットである。図１１で示すようにｓ１〜ｓ5という収納区画を設けてある。ここでは必要な書籍をＳ１〜Ｓ５まで設定し、専用の収納区画を割り当て、収納の配置し標準化している。ここで、専用の収納区画は、底に配置される書籍のサイズや形状に合わせて設計されているので、スペースを節約する効果がある。
【００５６】
ここでは収納棚を個別のユニットとして構成したが、壁ユニットに収納スペースを設けさせる方法もある。図１２は、壁ユニット１２０１に薬棚１２０２を設けた仕様の調剤室ユニットの構成である。同様に試験検査用器具棚、調剤用器具棚、そして本棚を壁ユニットに設けることにより、スペースをさらに有効に活用した調剤室を構成する方式を採用可能である。ここで設けられる収納棚は、先に説明した個別ユニットのように収納区画の配置を標準化したり、収納物の形状やサイズに合わせた設計をする方式を採用することが可能である。
【００５７】
３１６は調剤室ユニットの出入り口であり、引き戸を設置してある。ここで出入り口は引き戸に限られるものではなく、開き戸であってもよい。ここで出入り口は別個の出入り口ユニットとしても、壁ユニットの構成要素としてもよい。
【００５８】
図１３はユニット調剤室の床面を示した平面図である。床ユニット１３０１は予め給排水設備を内蔵しているので、その上に設けられた流し台３０２と容易に組み付けて水回りを構成することが出来る。１３０２〜１３１５で示されたユニットは、予め電力供給と通信の配線設備が備えられており、ユニット同士をつないだり、その上に設ける設備ユニットと容易に繋ぐことで容易に電気供給や通信の環境を整えることが出来る。
【００５９】
図１４は調剤室ユニットの天井面を示した平面図である。本ユニットは建物内に組み込む仕様であるため、天井板は特に備えない。本実施例では前面と後輩面の壁ユニット繋ぐ形で３本のレールユニット１４０１、１４０２、１４０３が渡してある。
【００６０】
レールユニット１４０１には、調剤台を照らす照明手段１４０４、調剤台の台上を撮影する監視カメラ１４０５、監査台を照らす照明手段１４０６、監査台の台上を撮影する監視カメラ１４０７が備えられている。これら照明手段により台上は１２０ルクス以上の明るさを持たせ、効率的な作業を支援している。また、それぞれの台に備えたＲＦＩＤリーダーがＲＦＩＤタグを付けた医薬品を検出して、それぞれの台に対応する監視カメラに制御信号を送信することにより、効率的な業務監視と撮影した画像を確認することによるトレーサビリティを実現している。
【００６１】
レールユニット１４０２には、一般作業台を照らす照明手段１４０８、一般作業台の台上を撮影する監視カメラ１４０９が備えられている。これら照明手段により台上は１２０ルクス以上の明るさを持たせ、効率的な作業を支援している。また、同様に台に備えたＲＦＩＤリーダーがＲＦＩＤタグを付けた医薬品を検出して、監視カメラ１４０９に制御信号を送信することにより、効率的な業務監視と撮影した画像を確認することによるトレーサビリティを実現している。
【００６２】
レールユニット１４０３には、試験検査台を照らす照明手段１４１０、試験検査台の台上を撮影する監視カメラ１４１１が備えられている。これら照明手段により台上は１２０ルクス以上の明るさを持たせ、効率的な作業を支援している。また、同様に台に備えたＲＦＩＤリーダーがＲＦＩＤタグを付けた医薬品を検出して、監視カメラ１４１１に制御信号を送信することにより、効率的な業務監視と撮影した画像を確認することによるトレーサビリティを実現している。
【００６３】
図１５は、照明や撮影の関係を示す断面図である。床ユニット１０５には一般作業台ユニットが設置されており、台上にはＲＦＩＤリーダー１５０１が備えられている。床ユニットと組み付けられた壁ユニット１０１と２０１の上部を渡してレールユニット１４０２が渡してある。そしてこのレールユニットには照明手段１４０８と監視カメラ１４０９が備えられている。この立体構成は、レールユニット１４０１も１４０３も照明手段や監視カメラの数が多少違うが同様である。
【００６４】
図１６はこの調剤室ユニットに設けられた監視カメラによって撮影する画像の管理するシステム全体を示した概略図である。１６０１１、１６０１２〜１６０１ｎは、それぞれが本実施例に示したユニット調剤室であり、ネットワーク１６０２を介して画像管理データベース１６０３、ブラウザ端末１６０４に接続している。各ユニット調剤室で撮影された画像はユニークなＩＤを付与されて画像管理データベース１６０３に記録される。ここに記録された画像は、ブラウザ端末によりどこからでも閲覧し、監視したり、問題が発生したときにトレースすることが出来ので、チェーン店などのように他店舗展開したときにそこでのオペレーションを一括して管理が出来て便利である。
【００６５】
ここで画像監視をネットワークを介して、外部から行う構成としたがユニット調剤室内に備えているパソコンで管理しても良い。
【産業上の利用可能性】
【００６６】
本発明のシステムは、多くの種類の医薬品や器具の取扱い、複雑な構造設備を必要とする薬局店舗を効率的に開設することが出来、かつ開店後のすぐに満足のいく店舗オペレーション実現できるので、チェーン化された薬局の展開、小規模薬局の開設による建物施設のスペースの有効活用などの可能性が大きい。
【図面の簡単な説明】
【００６７】
【図１】本発明のユニット調剤室の正面外観図
【図２】後背面から見た外観図
【図３】内部設備の配置を示した平面図
【図４】危険物・廃棄物保管ユニット
【図５】薬棚ユニット
【図６】調剤用器具収納ユニット
【図７】調剤用器具収納ユニットの棚板上面
【図８】貯蔵設備ユニット
【図９】常備品ユニット
【図１０】頻繁に使う道具、器具類の配置
【図１１】書棚ユニット
【図１２】調剤室ユニットの構成
【図１３】床面を示した平面図
【図１４】天井面を示した平面図
【図１５】照明や撮影の関係を示す断面図
【図１６】画像管理システム全体を示した概略図
【符号の説明】
【００６８】
１０１  正面壁面ユニット
１０２  表示
１０３  透視ガラス面
１０４  出入り口
１０５  床ユニット
１０６  側面壁ユニット
【図１】
2007146595.tif 000003
【図２】
2007146595.tif 000004
【図３】
2007146595.tif 000005
【図４】
2007146595.tif 000006
【図５】
2007146595.tif 000007
【図６】
2007146595.tif 000008
【図７】
2007146595.tif 000009
【図８】
2007146595.tif 000010
【図９】
2007146595.tif 000011
【図１０】
2007146595.tif 000012
【図１１】
2007146595.tif 000013
【図１２】
2007146595.tif 000014
【図１３】
2007146595.tif 000015
【図１４】
2007146595.tif 000016
【図１５】
2007146595.tif 000017
【図１６】
2007146595.tif 000018